(57)【特許請求の範囲】
【請求項１】
仮設工事用の基台の縁部に前記基台の表面に沿う方向を着脱方向として前記縁部に装着され、着脱方向に傾斜する曲げ力を受ける仮設工事用取付金具であって、
前記縁部の下面に向き合う下側対向面と、前記縁部の上面に向き合うとともに前記下側対向面に対して傾斜した上側対向面と、前記下側対向面と前記上側対向面とを連結して伸び前記縁部の側面に向き合う側面対向面とを有し、前記縁部が入り込むスリットが形成されるとともに、前記曲げ力が加えられる荷重受け部材が取り付けられる取付金具本体と、
前記取付金具本体に回転自在に取り付けられ、前記取付金具本体を前記基台に締結して前記取付金具本体が前記基台の表面に沿ってずれ移動するのを防止するねじ部材とを有し、
前記縁部の上側エッジ部を前記上側対向面に当接させ、前記縁部の下側エッジ部を前記下側対向面に当接させるとともに、前記上側対向面と前記下側対向面のいずれか一方を前記縁部に接触させ、かついずれか他方を前記エッジ部に接触させて前記取付金具本体を前記縁部に装着し、
前記荷重受け部材から前記取付金具本体に伝達される曲げ力を前記それぞれの上側対向面と下側対向面からそれぞれの前記エッジ部を介して前記基台に伝達することを特徴とする仮設工事用取付金具。
【請求項２】
請求項１記載の仮設工事用取付金具において、前記荷重受け部材は上端に親綱を引っ掛けるフックが設けられた親綱支柱であることを特徴とする仮設工事用取付金具。
【発明の詳細な説明】
【０００１】
【発明の属する技術分野】
本発明は建築工事や土木工事の際に作業者に装着された命綱を引っ掛ける親綱を支持するための親綱支柱などの荷重を受ける部材を固定する仮設工事用取付金具に関する。
【０００２】
【従来の技術】
中層や高層の建築物を建造する場合には、Ｈ型鋼やＩ型鋼などにより形成される水平梁材の上で作業者が建築作業を行うことがある。その場合には、作業者の安全を確保するために、水平梁材に所定の間隔毎に親綱支柱を固定し、それぞれの親綱支柱の上端に設けられたフックに親綱を取り付けている。作業者は身体に装着された命綱を親綱に引っ掛けた状態として、水平梁材の上を移動しながら種々の作業を行うことになり、高所の作業であっても作業者は安全に所定の作業を行うことができる。
【０００３】
親綱支柱のように建築工事や土木工事に使用される部材を基台に取り付けるための仮設工事用取付金具は、工事が終了すると撤去されるので、水平梁材などのような基台に対する取付と取外しを容易に行い得る必要があるとともに、使用されているときに親綱支柱が外れたりしないように確実に所定の強度で基台に締結されるようにする必要がある。
【０００４】
【発明が解決しようとする課題】
従来、親綱支柱に設けられる取付金具は、基台に対する取付と取外しを容易に行うようにするために、ボルトなどのねじ部材を用いて基台に締結するようにしており、親綱支柱に対して取付金具の着脱方向に曲げ力が加わると、その曲げ力がそのままねじ部材に曲げ力となって伝達されることになる。このため、親綱支柱に建築資材が接触して大きな曲げ力が加わると、ねじ部材が屈曲するおそれがあった。
【０００５】
そこで、取付金具を溶接して基台に固定すれば、親綱支柱を強固に基台に取り付けることは可能であるが、溶接して取付金具を取り付けたのでは工事終了後に親綱支柱を簡単に撤去することができなくなるという問題が発生する。
【０００６】
本発明の目的は、仮設工事用取付金具の基台に対する着脱の容易性を確保しつつ、取付金具に加わる曲げ荷重に対する強度を向上することにある。
【０００７】
【課題を解決するための手段】
本発明の仮設工事用取付金具は、仮設工事用の基台の縁部に前記基台の表面に沿う方向を着脱方向として前記縁部に装着され、着脱方向に傾斜する曲げ力を受ける仮設工事用取付金具であって、前記縁部の下面に向き合う下側対向面と、前記縁部の上面に向き合うとともに前記下側対向面に対して傾斜した上側対向面と、前記下側対向面と前記上側対向面とを連結して伸び前記縁部の側面に向き合う側面対向面とを有し、前記縁部が入り込むスリットが形成されるとともに、前記曲げ力が加えられる荷重受け部材が取り付けられる取付金具本体と、前記取付金具本体に回転自在に取り付けられ、前記取付金具本体を前記基台に締結して前記取付金具本体が前記基台の表面に沿ってずれ移動するのを防止するねじ部材とを有し、前記縁部の上側エッジ部を前記上側対向面に当接させ、前記縁部の下側エッジ部を前記下側対向面に当接させるとともに、前記上側対向面と前記下側対向面のいずれか一方を前記縁部に接触させ、かついずれか他方を前記エッジ部に接触させて前記取付金具本体を前記縁部に装着し、前記荷重受け部材から前記取付金具本体に伝達される曲げ力を前記それぞれの上側対向面と下側対向面からそれぞれの前記エッジ部を介して前記基台に伝達することを特徴とする。
【０００９】
本発明の仮設工事用取付金具は、前記荷重受け部材は上端に親綱を引っ掛けるフックが設けられた親綱支柱であることを特徴とする。
【００１０】
【発明の実施の形態】
以下、本発明の実施の形態を図面に基づいて詳細に説明する。図１は本発明の一実施の形態である仮設工事用取付金具を示す斜視図であり、図２は図１に示された仮設工事用取付金具を拡大して示す斜視図であり、図３は図２の一部を拡大して示す正面図であり、図４は図３の側面図である。
【００１１】
この仮設工事用取付金具１０は、図１に示すように、建築工事中の建築物における水平梁材２０に装着される親綱支柱３０を水平梁材２０に固定するために適用されている。Ｉ型鋼からなる水平梁材２０は建築物の一部を構成する部材であるが、建築中にあっては、その水平梁材２０の上で作業者が所定の作業をすることがある。その場合には、水平梁材２０に所定の間隔毎に親綱支柱３０を固定し、親綱支柱３０の上端に設けられたフック３１に親綱４１を取り付けるようにしている。これにより、作業者は身体に装着された命綱４２を親綱４１に引っ掛けた状態とすることによって、水平梁材２０の上を安全に歩行して種々の作業を行うことができる。
【００１２】
図２に示すように、親綱支柱３０は全体的に断面四辺形の中空の柱材により形成されており、取付金具１０に傾斜して取り付けられている。ただし、傾斜させることなく真っ直ぐに取り付けるようにしても良い。水平梁材２０は、上側水平板２１と下側水平板２２と垂直板２３とからなり、Ｉ型鋼あるいはＨ型鋼により形成されており、取付金具１０は水平梁材２０のうち上側水平板２１の左右一方側の縁部２４に取外し自在つまり着脱自在に取り付けられるようになっている。
【００１３】
取付金具１０は、図２に示すように、親綱支柱３０の下端部に溶接される２枚の取付板１１，１２を有し、これらの取付板１１，１２によって取付金具本体１０ａが形成されている。それぞれの取付板１１，１２には縁部２４が入り込むスリット１３が形成されており、このスリット１３は縁部２４の下面に向き合う下側対向面１４と、縁部２４の上面に向き合う上側対向面１５と、それぞれの対向面１４，１５を連結して伸びて縁部２４の側面に向き合う側面対向面１６とを有している。したがって、取付金具本体１０ａはスリット１３の開口部側から縁部２４に装着することができる。
【００１４】
それぞれの取付板１１，１２の下側対向面１４は、その全体が縁部２４の下面に接触するようになっており、下側対向面１４と側面対向面１６とにより形成される角部１７はほぼ直角となっている。一方、上側対向面１５と側面対向面１６とにより形成される角部１８は鈍角となっており、上側対向面１５は、角部１８から、開口部側に向けて縁部２４の表面に対して全体的に傾斜しており、上側と下側の対向面１４，１５は開口部側に向けて相互に末広がりとなるように広がっている。
【００１５】
このようにスリット１３は末広がりとなっていることから、取付金具１０を水平梁材２０に対して容易に装着することができる。つまり、装着時にはスリット１３の開口部側の上下寸法が縁部２４の厚み寸法よりも充分に大きく設定されているので、容易に取付金具１０を縁部２４に装着することができる。
【００１６】
上側対向面１５は角部１８から下側対向面１４に対して傾斜角度θ1となった部分１５ａが角部側に形成され、それよりも先端側の部分１５ｂは傾斜角度θ2となっている。一方、側面対向面１６の上下方向の高さ寸法Ｄaは、縁部２４の厚み寸法Ｄbと同一かそれよりもやや大きく設定されており、Ｄa≦Ｄbとなっている。したがって、金具本体１０ａを縁部２４に装着すると、縁部２４の下側エッジ部２５が下側対向面１４に当接し、縁部２４の上側エッジ部２６が上側対向面１５に当接することになる。両方の寸法Ｄa，Ｄbが同一のときには、それぞれの角部２５，２６はそれぞれの対向面１４，１５に当接するとともに、側面対向面１６にも当接することになる。
【００１７】
図２に示すように、２枚の取付板１１，１２の間には、下側対向面１４よりも下側に位置させて下側補強部材３３が固定され、上側対向面１５よりも上側に位置させて上側補強部材３４が固定されており、上側補強部材３4には２本のねじ部材３５が上下方向を向いてねじ結合されている。
【００１８】
ねじ部材３５は、親綱支柱３０を水平梁材２０に取り付ける際に、水平梁材２０の縁部２４がスリット１３内に入り込んだら締め付けられ、親綱支柱３０を取り外す際には緩められることになる。ねじ部材３５は、図３において矢印Ｅで示すように、取付金具本体１０ａに水平梁材２０の表面に沿い水平梁材２０の幅方向に外力が作用しても、取付金具本体１０ａが水平梁材２０からずれ移動して外れないようにする締結力を取付金具本体１０ａに加えるためである。その外力に対向するための締め付け力は作業者の手作業によってねじ部材３５に加えることができる。このように手作業による締め付け力によって水平梁材２０の表面に沿う方向の外力に対向することができるのは、取付金具本体１０ａにそのような方向の大きな外力が加わることはないからである。
【００１９】
これに対して、通常の工事現場においては、親綱支柱３０には建築資材が接触するなどによって大きな荷重が加わることが想定されるが、そのような荷重は取付金具本体１０ａには直接水平梁材の表面に沿う滑り移動方向となって伝達されることなく、図３において矢印Ｆで示すように取付金具本体１０ａの着脱方向つまり水平梁材２０の幅方向に傾斜する方向の曲げ力となって伝達される。このような曲げ力が加わった場合には、下側対向面１４はその全体が縁部２４の下面に接触し、上側対向面１５は縁部２４の上側エッジ部２６に食い込むように接触することになるので、上側エッジ部２６に上側対向面１５が食い込むようにして、曲げ力が取付金具本体１０ａから水平梁材２０に直接的に伝達されることになる。
【００２０】
このように、両方のエッジ部２５，２６がそれぞれ対向面１４，１５に当接し、下側対向面１４は縁部２４の下面に面接触しているので、ねじ部材３５には大きな曲げ力が加わることなく、曲げ力は取付金具本体１０ａを介して直接的に水平梁材２０に伝達される。この結果、ねじ部材３５は取付金具本体１０ａが水平梁材２０から外れない程度の締結力を加えれば良く、ねじ部材３５の径を大きくすることが不要となるとともに、ねじ部材３５が曲げ力に起因して折損することが防止される。
【００２１】
図５（Ａ）〜図５（Ｆ）は、それぞれ取付金具本体１０ａの変形例を示す正面図であり、図５（Ａ）に示す取付金具本体１０ａは、図３に示す場合と同様に上側対向面１５が折れ曲がって形成されているが、図３に示す場合と相違して上側対向面１５のうち角部１８側の部分１５ａの傾斜角度θ1が開口部側の部分１５ｂの傾斜角度よりも小さく設定されている。
【００２２】
図５（Ｂ）に示す取付金具本体１０ａは、上側対向面１５が折れ曲がっておらず、その傾斜角度が全体的に同一の角度となっている。図５（Ｃ）に示す取付金具本体１０ａは、上側対向面１５が円弧面となって傾斜して形成されている。さらに、図５（Ｄ）に示す取付金具本体１０ａは、上側対向面１５の全体が縁部２４の表面に面接触し、下側対向面１４が傾斜面となって縁部２４のエッジ部２６に接触することになる。ただし、図５（Ｄ）に示すように、下側対向面１４を傾斜させた場合には、ねじ部材３５は取付金具本体１０ａの下側部分に取り付けられることになる。下側対向面１４を傾斜させるようにした場合には、その下側対向面１４の形状を図５（Ａ）〜図５（Ｃ）に示した上側対向面と同様に形成するようにしても良い。
【００２３】
図５（Ｅ）に示す取付金具本体１０ａは、上側対向面１５と側面対向面１６との間に角部１８が形成されておらず、両面の対向面１５，１６が連なって形成されている。
【００２４】
図５（Ｆ）に示す取付金具本体１０ａは、上側対向面１５の開口部側の部分が下側対向面に向けて突出してくびれ部１５ａとなっている。
【００２５】
本発明は前記実施の形態に限定されるものではなく、その要旨を逸脱しない範囲で種々変更可能である。たとえば、図示する場合には取付金具を用いて親綱支柱を水平梁材に取り付けるために本発明を適用しているが、これに限られず、荷重受け部材から取付金具本体に曲げ力が加わる場合であれば、どのような場合にも本発明を適用することができる。
【００２６】
【発明の効果】
本発明によれば、仮設工事用取付金具を水平梁材などの基台に取外し自在に締結するためのねじ部材には、親綱支柱などの荷重受け部材から直接的には大きな曲げ力が加わらず、取付金具本体から基台に対して直接大きな曲げ力が加わるようになっているので、取付金具の取付強度を高めることができる。
【００２７】
ねじ部材を緩めることにより、取付金具を簡単に基台に取り付けたり取り外したりすることができる。
【図面の簡単な説明】
【図１】本発明の一実施の形態である仮設工事用取付金具を示す斜視図である。
【図２】図１に示された仮設工事用取付金具を拡大して示す斜視図である。
【図３】図２の一部を拡大して示す正面図である。
【図４】図３の側面図である。
【図５】（Ａ）〜（Ｆ）はそれぞれ取付金具本体の変形例を示す正面図である。
【符号の説明】
１０      仮設工事用取付金具
１１，１２      取付板（取付金具本体）
１３      スリット
１４      下側対向面
１５      上側対向面
１６      側面対向面
１７      角部
１８      角部
２０      水平梁材（基台）
２１      上側水平板
２２      下側水平板
２３      垂直板
２４      縁部
２５      エッジ部
２６      エッジ部
３０      親綱支柱
３１      フック
３３      下側補強部材
３４      上側補強部材
３５      ねじ部材
４１      親綱
４２      命綱
【図１】
0003868783.tif 000002
【図２】
0003868783.tif 000003
【図３】
0003868783.tif 000004
【図４】
0003868783.tif 000005
【図５】
0003868783.tif 000006